(57)【要約】【課題】複数の発光体をつなぎ合わせてもより均一な発光光を出力することができる発光装置と、その発光装置に備えられる発光装置用反射部材を実現する。【解決手段】光透過性を有する基板１と、基板１に配設されるとともに基板１を透過させる光を視認側に出力するＥＬ発光素子２と、を備え、その基板１にＥＬ発光素子２が配設されていない非発光領域Ｄを有するＥＬシート１２が複数並設されてなるＥＬシート群１２ａを備える発光装置１０において、ＥＬ発光素子２が出力する光を視認側に反射する反射部材３を備える構成にした。【選択図】図１
2006156205.tif 000002
【特許請求の範囲】
【請求項１】
面発光部と、前記面発光部に隣接する非発光領域を有する発光部材と、
前記非発光領域の少なくとも一部に配設され、前記面発光部が出力する光を視認側に反射する反射部材と、
を備えることを特徴とする発光装置。
【請求項２】
面発光部と非発光領域を有する発光部材が複数並設されてなる発光部材群と、
前記発光部材群における前記面発光部が出力する光を視認側に反射する反射部材と、
を備えることを特徴とする発光装置。
【請求項３】
面発光部と非発光領域を有する発光部材が複数並設されてなる発光部材群と、
前記発光部材群における前記非発光領域の少なくとも一部に配設され、前記面発光部が出力する光を視認側に反射する反射部材と、
を備えることを特徴とする発光装置。
【請求項４】
前記面発光部より視認側に配設されて、前記面発光部が出力する光を透過させるとともに拡散させる光拡散部材を備えることを特徴とする請求項１〜３のいずれか一項に記載の発光装置。
【請求項５】
前記反射部材は、前記面発光部の発光面に対して鈍角に配置される反射面を有することを特徴とする請求項１〜４のいずれか一項に記載の発光装置。
【請求項６】
前記発光部材は、光透過性を有する基板と、前記基板に配設されるとともに前記基板を透過させる光を視認側に出力する発光部と、前記基板に前記発光部が配設されていない非発光領域と、を有することを特徴とする請求項１〜５のいずれか一項に記載の発光装置。
【請求項７】
面発光部と非発光領域を有する発光部材が複数並設されてなる発光部材群を備える発光装置に設けられ、前記面発光部が出力する光を視認側に反射することを特徴とする発光装置用反射部材。
【発明の詳細な説明】
【技術分野】
【０００１】
本発明は、発光装置及び発光装置用反射部材に関する。
【背景技術】
【０００２】
従来、光透過性を有する基板１０１と、その基板１０１に配設されたＥＬ発光体１０２とにより構成されるＥＬ（Electro Luminescence）シート１１２が知られており、より広い発光領域（ＥＬ発光体部分）を備える大きなＥＬシートを形成するため、例えば、図７に示すように、このＥＬシート１１２を複数升目状につなぎ合わせている。
【０００３】
また、従来、複数のＥＬシートをつなぎ合わせて大きなＥＬシートを形成する場合に、そのつなぎ目部分に非発光領域が生じないように、より広い発光領域を形成するＥＬ発光装置が知られている（例えば、特許文献１参照。）。
このＥＬ発光装置は、ＥＬシートの発光領域（ＥＬ発光体部分）の周縁部における非発光領域となるシート部分を切除して、その切除された辺端部までが発光領域となるようにしたＥＬシートを用意するとともに、一方のＥＬシートの非発光領域である辺端部の上に、他方のＥＬシートの発光領域である辺端部を重ねるように、複数のＥＬシートが敷設されて形成されている。
【特許文献１】特開２００１−１２６８７１号公報
【発明の開示】
【発明が解決しようとする課題】
【０００４】
しかしながら、上記のように、複数のＥＬシート１１２を升目状につなぎ合わせて大きなＥＬシートを形成する場合、ＥＬシート１１２のＥＬ発光体１０２部分の周縁部における基板１０１部分は非発光領域であるため、大きなＥＬシートには、ＥＬ発光体１０２部分の発光領域と、基板１０１部分の非発光領域とが混在することとなる。そして、その大きなＥＬシートを発光させた際には、非発光領域が目立ってしまうという問題があった。
【０００５】
また、上記特許文献１の場合、辺端部までを発光領域とするために切除するシート部分が違う、幾つかのパターンのＥＬシートを用意するとともに、形成するＥＬ発光装置の大きさや形状に応じて、前面側に発光領域が配置されるように、複数パターンの複数のＥＬシートを適宜重ね合わせる必要があるため、ＥＬシートを敷設する組付作業が煩雑であった。そして、複数のＥＬシートが重ね合わされた段差によって、発光斑が生じてしまうことがあるという問題があった。
【０００６】
本発明の目的は、複数の発光体をつなぎ合わせてもより均一な発光光を出力することができる発光装置と、その発光装置に備えられる発光装置用反射部材を提供することである。
【課題を解決するための手段】
【０００７】
以上の課題を解決するため、請求項１記載の発明は、発光装置において、
面発光部と、前記面発光部に隣接する非発光領域を有する発光部材と、
前記非発光領域の少なくとも一部に配設され、前記面発光部が出力する光を視認側に反射する反射部材と、
を備えることを特徴とする。
【０００８】
請求項１記載の発明によれば、発光装置は、面発光部である発光領域と、面発光部に隣接する非発光領域とを有している。
そして、発光領域においては、面発光部が出力する光を視認側に直接出力し、非発光領域においては、面発光部が出力した光が直接視認側に出力されず、非発光領域の少なくとも一部に配設される反射部材が、面発光部が出力する光を視認側に反射するように出力する。
【０００９】
請求項２記載の発明は、発光装置において、
面発光部と非発光領域を有する発光部材が複数並設されてなる発光部材群と、
前記発光部材群における前記面発光部が出力する光を視認側に反射する反射部材と、
を備えることを特徴とする。
【００１０】
請求項２記載の発明によれば、発光装置は、発光部材群における非発光領域と、面発光部である発光領域とを有している。
そして、発光領域においては、面発光部が出力する光を視認側に直接出力し、非発光領域においては、面発光部が出力した光が直接視認側に出力されず、反射部材が、面発光部が出力する光を視認側に反射するように出力する。
【００１１】
請求項３記載の発明は、発光装置において、
面発光部と非発光領域を有する発光部材が複数並設されてなる発光部材群と、
前記発光部材群における前記非発光領域の少なくとも一部に配設され、前記面発光部が出力する光を視認側に反射する反射部材と、
を備えることを特徴とする。
【００１２】
請求項３記載の発明によれば、発光装置は、発光部材群における非発光領域と、面発光部である発光領域とを有している。
そして、発光領域においては、面発光部が出力する光を視認側に直接出力し、非発光領域においては、面発光部が出力した光が直接視認側に出力されず、その非発光領域の少なくとも一部に配設される反射部材が、面発光部が出力する光を視認側に反射するように出力する。
【００１３】
請求項４記載の発明は、請求項１〜３のいずれか一項に記載の発光装置において、
前記面発光部より視認側に配設されて、前記面発光部が出力する光を透過させるとともに拡散させる光拡散部材を備えることを特徴とする。
【００１４】
請求項４記載の発明によれば、請求項１〜３のいずれか一項に記載の発明と同様の作用を奏するとともに、発光装置は、面発光部より視認側に配設される光拡散部材により、面発光部が出力する光を透過させるとともに拡散させる。
【００１５】
請求項５記載の発明は、請求項１〜４のいずれか一項に記載の発光装置において、
前記反射部材は、前記面発光部の発光面に対して鈍角に配置される反射面を有することを特徴とする。
【００１６】
請求項５記載の発明によれば、請求項１〜４のいずれか一項に記載の発明と同様の作用を奏するとともに、面発光部の発光面に対して反射部材の反射面が鈍角に配置されているので、面発光部が出力した光を反射面は反射しやすい。そして、面発光部が出力した光を反射部材の反射面が視認側に好適に反射することができる。
【００１７】
請求項６記載の発明は、請求項１〜５のいずれか一項に記載の発光装置において、
前記発光部材は、光透過性を有する基板と、前記基板に配設されるとともに前記基板を透過させる光を視認側に出力する発光部と、前記基板に前記発光部が配設されていない非発光領域と、を有することを特徴とする。
【００１８】
請求項６記載の発明によれば、請求項１〜５のいずれか一項に記載の発明と同様の作用を奏するとともに、発光部材は、光透過性を有する基板と、基板に配設されるとともに基板を透過させる光を視認側に出力する発光部と、基板に発光部が配設されていない非発光領域を備えており、基板に発光部が配設されている発光領域が面発光部となる。
【００１９】
請求項７記載の発明は、発光装置用反射部材であって、
面発光部と非発光領域を有する発光部材が複数並設されてなる発光部材群を備える発光装置に設けられ、前記面発光部が出力する光を視認側に反射することを特徴とする。
【００２０】
請求項７記載の発明によれば、発光装置は、発光部材群における非発光領域と、面発光部である発光領域とを有している。
そして、発光領域においては、面発光部が出力する光を視認側に直接出力することができ、また、非発光領域においては、面発光部が出力した光が直接視認側には出力されず、その非発光領域に対応する箇所などに配設される発光装置用反射部材により、面発光部が出力する光を視認側に反射するように出力することができる。
【発明の効果】
【００２１】
請求項１記載の発明によれば、発光装置は、面発光部である発光領域と、面発光部に隣接する非発光領域とを有している。
そして、発光領域においては、面発光部が出力する光を視認側に直接出力することができ、非発光領域においては、面発光部が出力した光が直接視認側に出力されず、非発光領域の少なくとも一部に配設される反射部材が、面発光部が出力する光を視認側に反射するように出力することができる。
つまり、発光装置の発光領域において面発光部が出力した光が直接視認側に出力されることと、発光装置の非発光領域において面発光部が出力した光を反射部材が反射して視認側に出力されることにより、各領域において視認側に出力される光をほぼ均一とすることができる。
よって、発光装置において、発光領域において視認側に出力される光と、非発光領域において視認側に出力される光とがほぼ同じように出力されるので、面発光部の周囲に非発光領域発光部材を有する発光装置における発光面から、より均一な発光光を出力することができる。
【００２２】
請求項２記載の発明によれば、発光装置は、発光部材群における非発光領域と、面発光部である発光領域とを有している。
そして、発光領域においては、面発光部が出力する光を視認側に直接出力することができ、また、非発光領域においては、面発光部が出力した光が直接視認側に出力されず、反射部材が、面発光部が出力する光を視認側に反射するように出力することができる。
つまり、発光装置の発光領域において面発光部が出力した光が直接視認側に出力されることと、発光装置の非発光領域において面発光部が出力した光を反射部材が反射して視認側に出力されることにより、各領域において視認側に出力される光をほぼ均一とすることができる。
よって、発光装置において、発光領域において視認側に出力される光と、非発光領域において視認側に出力される光とがほぼ同じように出力されるので、発光部材が複数並設されてなる発光部材群を備える発光装置における発光面から、より均一な発光光を出力することができる。
【００２３】
請求項３記載の発明によれば、発光装置は、発光部材群における非発光領域と、面発光部である発光領域とを有している。
そして、発光領域においては、面発光部が出力する光を視認側に直接出力することができ、また、非発光領域においては、面発光部が出力した光が直接視認側に出力されず、その非発光領域の少なくとも一部に配設される反射部材が、面発光部が出力する光を視認側に反射するように出力することができる。
つまり、発光装置の発光領域において面発光部が出力した光が直接視認側に出力されることと、発光装置の非発光領域において面発光部が出力した光を反射部材が反射して視認側に出力されることにより、各領域において視認側に出力される光をほぼ均一とすることができる。
よって、発光装置において、発光領域において視認側に出力される光と、非発光領域において視認側に出力される光とがほぼ同じように出力されるので、発光部材が複数並設されてなる発光部材群を備える発光装置における発光面から、より均一な発光光を出力することができる。
【００２４】
請求項４記載の発明によれば、発光装置は、面発光部より視認側に配設される光拡散部材により、面発光部が出力する光を透過させるとともに拡散させることができる。
つまり、発光装置は、面発光部が出力する光を、光拡散部材を介して視認側に透過させる際に、光を拡散させることにより、その光に含まれる、様々な向きや波長を有する光の光路を乱して混ぜるようにする。そして、その様々な光を混ぜ合わせることにより、発光装置の発光面を視認する角度による光の色目の差や、光量の差などを低減することができる。
よって、発光装置は、より均一な発光光を出力することができる。
【００２５】
請求項５記載の発明によれば、面発光部の発光面に対して反射部材の反射面が鈍角に配置されているので、面発光部が出力した光を反射面は反射しやすい。そして、面発光部が出力した光を反射部材の反射面が視認側に好適に反射することができる。
よって、非発光領域において、面発光部が出力した光を反射部材が反射して視認側に出力しやすくなるので、発光領域において視認側に出力される光と、より近い光を出力することができるようになり、発光装置における発光面から、より均一な発光光を出力することができるようになる。
【００２６】
請求項６記載の発明によれば、発光部材は、光透過性を有する基板と、基板に配設されるとともに基板を透過させる光を視認側に出力する発光部と、基板に発光部が配設されていない非発光領域を備えており、基板に発光部が配設されている発光領域が面発光部となる。
このように、基板に発光体や発光材料などからなる発光部を配設して面発光部を形成することにより、様々な面発光部を形成することができるようになる。
【００２７】
請求項７記載の発明によれば、発光装置は、発光部材群における非発光領域と、面発光部である発光領域とを有している。
そして、発光領域においては、面発光部が出力する光を視認側に直接出力することができ、また、非発光領域においては、面発光部が出力した光が直接視認側には出力されず、その非発光領域に対応する箇所などに配設される発光装置用反射部材により、面発光部が出力する光を視認側に反射するように出力することができる。
つまり、発光装置の発光領域において面発光部が出力した光が直接視認側に出力されることと、発光装置の非発光領域において面発光部が出力した光を発光装置用反射部材が反射して視認側に出力されることにより、各領域において視認側に出力される光をほぼ同じ光とすることができる。
よって、発光装置において、発光領域において視認側に出力される光と、非発光領域において視認側に出力される光とがほぼ同じように出力されるので、発光部材が複数並設されてなる発光部材群を備える発光装置における発光面から、より均一な発光光を出力することができる。
【発明を実施するための最良の形態】
【００２８】
以下、本発明の実施の形態を図１から図６に基づいて説明する。
【００２９】
図１は、本発明に係る発光装置の要部構成を断面図として示す模式図である。
図１に示すように、発光装置（例えば、発光装置１０）は、光透過性を有する基板１と、基板１の裏面側に配設される発光部であるＥＬ発光素子２と、基板１の表面側に配設される発光装置用の反射部材３を備えている。
【００３０】
基板１は、例えば、ガラスやアクリルなど、光透過性を有する材料で形成された平板状やフィルム状の部材である。
ＥＬ発光素子２は、例えば、発光層、正孔輸送層、電子輸送層などからなる有機ＥＬ薄膜層を備え、その有機ＥＬ薄膜層に透明電極などを介して電圧を印加することに基づき、光を出力する部材である。なお、ＥＬ発光素子２における有機ＥＬ薄膜層、透明電極や、電源との接続構成などについての図示は省略している。
【００３１】
このＥＬ発光素子２が出力した発光光は、基板１を透過し、基板１の表面側となる視認側に向けて出射されるようになっている。そして、ＥＬ発光素子２が基板１に配設されている領域が、面発光部である発光領域Ｌとして形成されるようになっている。なお、ＥＬ発光素子２が配設されていない基板１の領域が、非発光領域Ｄとして形成されている。
そして、基板１とＥＬ発光素子２とにより、発光部材であるＥＬシート１２が構成され、複数のＥＬシート１２が並設されるように組み合わされて発光部材群であるＥＬシート群１２ａが形成される。
【００３２】
反射部材３は、例えば、断面視二等辺三角形状に形成された芯材３ａの表面に、アルミニウムや銀などが蒸着されてなる鏡面を有する反射面３ｂが形成された部材である。
この反射部材３は、基板１の表面における非発光領域Ｄに配設されている。なお、反射部材３の反射面３ｂに対する、基板１の表面である発光面１ａの角度θは、鈍角（例えば、１１０°）となっている。
【００３３】
そして、ＥＬ発光素子２が発光し、発光光を出力すると、発光領域Ｌにおいては、図１に示すように、基板１を透過した発光光は、直接視認側に照射される。一方、非発光領域Ｄにおいては、図１に示すように、発光領域Ｌにおける基板１を透過した発光光が反射部材３の反射面３ｂで反射されて、視認側に照射される。
このように、ＥＬ発光素子２が発光して出力した発光光は、発光領域Ｌや非発光領域Ｄに関わらず、視認側に照射されるようになっている。
【００３４】
次に、本発明に係る発光装置の、より具体的な構成について説明する。
図２は、本発明に係る発光装置１０の平面図であり、図３は、図２のIII−III線における断面図である。図４は、発光装置１０の組付図である。
【００３５】
発光装置１０は、図２から図４に示すように、発光素子ユニット６と、光拡散部材である第１の光学シート４ａと、複数の反射部材３・・・が組み合わされてなる反射枠３３と、光拡散部材である第２の光学シート４ｂがカバーガラス５に挟持されてなる前面板４５等が積層されるように組み付けられて、構成されている。
【００３６】
発光素子ユニット６は、図４に示すように、ユニットベース６ａ上に、４つのＥＬシート１２が升目状につなぎ合わされたＥＬシート群１２ａが、そのＥＬシート１２の基板１が発光装置１０の視認側となる上面側になるように配置されてなる。
なお、ユニットベース６ａ内には、ＥＬ発光素子２の有機ＥＬ薄膜層（図示省略）に電圧を印加するための電源（図示省略）などが配置されるようになっている。
【００３７】
第１の光学シート４ａは、例えば、光拡散シート、光散乱シート、プリズムシート、半透明シート、薄紙（和紙、トレーシングペーパー）、フレネル凸レンズなどからなり、ＥＬ発光素子２が出力する発光光を視認側に透過させるとともに、光の光路を乱すように拡散、散乱させるシート状部材である。
ＥＬ発光素子２が出力する発光光には、様々な向きの様々な波長の光が含まれているため、その発光面を視認する角度により、光の色目が変わって見えることがある。そこで、この第１の光学シート４ａをＥＬ発光素子２より視認側に配設することにより、ＥＬ発光素子２が出力する発光光が第１の光学シート４ａを透過する際に、その発光光に含まれる様々な光の光路が乱されるようになる。そして、第１の光学シート４ａは、その発光光に含まれる様々な光の光路を乱して混ぜるようにすることにより、ＥＬ発光素子２の発光面を視認する角度による光の色目の違いを低減するようになっている。
【００３８】
反射枠３３は、複数の反射部材３が組み合わされてなり、平面視略田の字形状を呈する部材である。
この発光装置１０の発光面の中央側において、平面視略十の字形状を呈するように反射枠３３を構成する反射部材３は、断面視二等辺三角形状を呈する反射部材であり、また、発光装置１０の周縁側において、平面視略口の字形状を呈するように反射枠３３を構成する反射部材３は、断面視直角三角形状を呈する反射部材である。
なお、平面視略口の字形状を呈する部分の反射部材３の断面形状である直角三角形は、平面視略十の字形状を呈する部分の反射部材３の断面形状である二等辺三角形の頂点から底面に下ろす垂線によりその二等辺三角形が二分割されてなる直角三角形である。
【００３９】
そして、反射枠３３は、発光素子ユニット６においてつなぎ合わされた４つのＥＬシート１２における平面視略田の字形状を呈する非発光領域Ｄ上に対応するように配設されている。
また、反射枠３３の反射部材３における反射面３ｂは発光領域Ｌ側に面に対する、その発光領域Ｌにおける発光面の角度θは、鈍角をなすように配置されており、発光面から出射される発光光を視認側に反射するようになっている。
【００４０】
前面板４５は、発光装置１０の前面側に、反射枠３３の頂点部分に接するように配設されている。
カバーガラス５は、第２の光学シート４ｂが損傷しないように保護するとともに、発光装置１０におけるＥＬシート１２等の内部構成を覆うためのカバー部材である。
【００４１】
第２の光学シート４ｂは、例えば、光拡散シート、光散乱シート、プリズムシート、半透明シート、薄紙（和紙、トレーシングペーパー）、フレネル凸レンズなどからなり、ＥＬ発光素子２が出力する発光光を視認側に透過させるとともに、光の光路を乱すように拡散、散乱させるシート状部材であり、第１の光学シート４ａと同様のシート状部材である。
特に、第２の光学シート４ｂは、ＥＬ発光素子２が発光して出力した発光光であり、発光領域Ｌにおいて基板１を透過して直接視認側に照射される発光光と、非発光領域Ｄにおいて反射部材３の反射面３ｂで反射されて視認側に照射される発光光の、それぞれの光の光路を乱して混ぜるようにすることにより、発光装置１０の発光面を視認する角度による光の色目の違いを低減するようになっている。
また、第２の光学シート４ｂは、発光光を拡散、散乱させることにより、発光光の光量を僅かに低下させるように、ぼかすことができるので、発光領域Ｌにおいて基板１を透過して直接視認側に照射される発光光と、非発光領域Ｄにおいて反射部材３の反射面３ｂで反射されて視認側に照射される発光光の差を低減し、第２の光学シート４ｂを透過する発光光をより均一な発光光とすることができるようになっている。
【００４２】
そして、図５に示すように、外枠部材７の縁部７ａを前面板４５に当接させるようにして、外枠部材７の枠部７ｂをボルトＢによりユニットベース６ａに固定することで、発光装置１０が形成される。
【００４３】
このように、本発明に係る発光装置１０には、ＥＬシート１２や複数のＥＬシート１２がつなぎ合わされたＥＬシート群１２ａにおいて、基板１にＥＬ発光素子２が配設されていない非発光領域Ｄが存在するが、その非発光領域Ｄに反射枠３３（反射部材３）を備えることにより、その反射枠３３（反射部材３）の反射面３ｂが基板１を透過した発光光を反射して視認側に照射することにより、発光領域Ｌにおいて基板１を透過した発光光が直接視認側に照射することと、ほぼ同じように発光光を照射することができる。
よって、発光装置１０において、発光領域Ｌにおける照射光と非発光領域Ｄにおける照射光とがほぼ同じように出力されるので、発光装置１０における発光面から、ほぼ均一な発光光を出力することができる。
従って、発光装置１０は、複数のＥＬシート１２をつなぎ合わせてＥＬシート群１２ａとすることで大きな発光面を形成するとともに、その大きな発光面からより均一な発光光を出力することができる。
【００４４】
特に、発光装置１０は、１種類のＥＬシート１２を用意して、そのＥＬシート１２を所望する大きさや形状となるように、任意につなぎ合わせて大きなＥＬシート群１２ａを形成し、そのＥＬシート群１２ａにおいて形つくられた非発光領域Ｄの形状に応じた反射枠３３（反射部材３）を、その非発光領域Ｄに配設することにより、大きな発光面からより均一な発光光を出力する発光装置とすることができる。
つまり、発光装置１０は、複数パターンのＥＬシートを適宜重ね合わせて組み付ける従来の発光装置に比べ、容易な組み付け作業により、様々な大きさや形状の発光装置を形成することができる。
【００４５】
また、発光装置１０は、ＥＬ発光素子２が出力する発光光を視認側に透過させるとともに、発光光を拡散、散乱させる第１の光学シート４ａや第２の光学シート４ｂを備えているので、発光装置１０（ＥＬ発光素子２）の発光面を視認する角度による光の色目の違いを低減することができる。
また、第２の光学シート４ｂが、発光領域Ｌにおいて基板１を透過して直接視認側に照射される発光光と、非発光領域Ｄにおいて反射部材３の反射面３ｂで反射されて視認側に照射される発光光の光量を僅かに低下させて、ぼかすことにより、各領域における発光光の出力差を低減するように発光斑を低減することができ、より均一な発光光とすることができる。
【００４６】
なお、以上の実施の形態においては、発光部としてＥＬ発光素子２を例に説明したが、
本発明はこれに限定されるものではなく、発光部は平面状に面発光するものであれば、任意の発光体であってよい。
【００４７】
また、以上の実施の形態においては、４つのＥＬシート１２を並設したＥＬシート群１２ａを一例に説明したが、本発明はこれに限定されるものではなく、ＥＬシート１２を並設して組み合わせる枚数や、組み合わせてなる形状や大きさは任意のものであってよい。
【００４８】
また、以上の実施の形態においては、反射部材３は、断面視二等辺三角形状としたが、本発明はこれに限定されるものではなく、例えば、図６（ａ）に示すように、反射部材は断面視略二等辺三角形状を呈するとともに反射面１３ｂに段差を有する反射部材１３や、図６（ｂ）に示すように、反射部材は断面視略二等辺三角形状を呈するとともに反射面２３ｂが凹状の曲面を有する反射部材２３であってもよい。
また、反射部材は、図６（ｃ）に示すように、表面に鏡面（反射面４３ｂ）を有する薄板に曲げ加工を施し、断面視略二等辺三角形状を呈するように形成した反射部材４３であってもよい。
【００４９】
また、反射面は鏡面であることに限らず、高反射率を有する白色面であってもよい。
【００５０】
また、反射部材３や反射枠３３は一体成形品であっても、複数のパーツが組み合わせてなるものであってもよい。
また、反射枠３３は、反射部材３が井桁状に組み合わされてなる平面視略田の字形状を呈するものに限らず、例えば、円形状など、ＥＬ発光素子２や発光領域Ｌの平面形状に応じて形成される任意の形状であってよい。
【００５１】
また、反射部材３や反射枠３３は、非発光領域Ｄに配置されることに限らず、その一部が発光領域Ｌに配置されてもよい。
また、反射部材３や反射枠３３は、非発光領域Ｄの全域に配置されることに限らず、発光装置１０の発光面からほぼ均一な発光光が照射されるのであれば、反射部材３や反射枠３３が配置されない非発光領域Ｄ部分があってもよい。
【００５２】
また、前面板４５は、反射枠３３の頂点部分に接していなくてもよく、発光装置１０の前面側において反射枠３３の頂点部分から離間するように配設されていてもよい。
【００５３】
また、第１の光学シートや第２の光学シートは、１枚のシート状の光散乱部材により構成されることに限らず、複数のシート状の光散乱部材により構成するようにしてもよい。
また、第１の光学シートと第２の光学シートをともに備えることに限らず、いずれか一方を備えるようにしてもよい。
【００５４】
また、その他、具体的な細部構造等についても適宜に変更可能であることは勿論である。
【図面の簡単な説明】
【００５５】
【図１】本発明に係る発光装置の要部構成の断面を示す説明図である。
【図２】本発明に係る発光装置を示す平面図である。
【図３】図２のIII−III線における断面図である。
【図４】本発明に係る発光装置の組付図である。
【図５】本発明に係る発光装置の要部拡大断面図である。
【図６】反射部材の変形例を示す説明図であり、反射面に段差を有する反射部材（ａ）、反射面が曲面に形成されている反射部材（ｂ）、鏡面を有する薄板を曲げ加工した反射部材（ｃ）である。
【図７】従来技術における複数のＥＬシートをつなぎ合わせた状態を示す平面図である。
【符号の説明】
【００５６】
１      基板
１ａ    発光面
２      ＥＬ発光素子（発光部）
３      反射部材（発光装置用反射部材）
３ｂ    反射面
３３    反射枠
４ａ    第１の光学シート（光拡散部材）
４ｂ    第２の光学シート（光拡散部材）
５      カバーガラス
６      発光素子ユニット
１０    発光装置
１２    ＥＬシート（発光部材）
１２ａ  ＥＬシート群（発光部材群）
Ｌ      発光領域（面発光部）
Ｄ      非発光領域
【図１】
2006156205.tif 000003
【図２】
2006156205.tif 000004
【図３】
2006156205.tif 000005
【図４】
2006156205.tif 000006
【図５】
2006156205.tif 000007
【図６】
2006156205.tif 000008
【図７】
2006156205.tif 000009